(57)【要約】【課題】二次電池モジュールを提供する。【解決手段】電極組立体、電極組立体を収容するケース、電極組立体に電気的に連結され、ケースの外側に突出される電極端子を含む複数の二次電池；及び互いに隣接した二次電池の電極端子を電気的に連結するバスバー；を含み、該バスバーは、電極端子と締結されるように、両側に形成された貫通ホールを含む第１部分；及び第１部分から延長され、第１部分と対向するように曲折された第２部分；を含む二次電池モジュールである。【選択図】図１
2015056403.tif 000002
【特許請求の範囲】
【請求項１】
電極組立体、前記電極組立体を収容するケース、前記電極組立体に電気的に連結され、前記ケースの外側に突出される電極端子を含む複数の二次電池と、
互いに隣接した前記二次電池の電極端子を電気的に連結するバスバーと、を含み、
前記バスバーは、
前記電極端子と締結されるように、両側に形成された貫通ホールを含む第１部分と、
前記第１部分から延長され、前記第１部分と対向するように曲折された第２部分と、を含む二次電池モジュール。
【請求項２】
前記第２部分は、
前記貫通ホールとオーバーラップされないように形成されることを特徴とする請求項１に記載の二次電池モジュール。
【請求項３】
前記第２部分は、
Ｔ字形またはＨ字形であることを特徴とする請求項１に記載の二次電池モジュール。
【請求項４】
前記第１部分、及び前記第２部分の厚みは、互いに同一であることを特徴とする請求項１に記載の二次電池モジュール。
【請求項５】
前記バスバーは、
前記電極端子とナットを介して締結されることを特徴とする請求項１に記載の二次電池モジュール。
【請求項６】
前記複数の二次電池は、
前記バスバーを介して直列連結または並列連結されることを特徴とする請求項１に記載の二次電池モジュール。
【請求項７】
電極組立体、前記電極組立体を収容するケース、前記電極組立体に電気的に連結され、前記ケースの外側に突出される電極端子を含む複数の二次電池と、
互いに隣接した前記二次電池の電極端子を電気的に連結するバスバーと、を含み、
前記バスバーは、
前記電極端子と締結されるように、両側に互いに離隔されて形成された複数の溝を具備する第１部分を含む二次電池モジュール。
【請求項８】
前記第１部分は、
前記複数の溝を介して、前記電極端子と溶接工程が遂行されることを特徴とする請求項７に記載の二次電池モジュール。
【請求項９】
前記第１部分から延長され、前記第１部分と対向するように曲折された第２部分をさらに含むことを特徴とする請求項７に記載の二次電池モジュール。
【請求項１０】
前記第２部分は、
前記第１部分の面積と同一面積であることを特徴とする請求項９に記載の二次電池モジュール。
【請求項１１】
電極組立体、前記電極組立体を収容するケース、前記電極組立体に電気的に連結され、前記ケースの外側に突出される電極端子を含む複数の二次電池と、
互いに隣接した前記二次電池の電極端子を電気的に連結するバスバーと、を含み、
前記バスバーは、
前記電極端子を取り囲みながら締結されるように、両側下面に互いに離隔されて形成された複数の第１溝を具備する第１部分を含む二次電池モジュール。
【請求項１２】
前記バスバーは、
前記第１部分を介して、前記電極端子と溶接工程が遂行されることを特徴とする請求項１１に記載の二次電池モジュール。
【請求項１３】
前記第１部分は、
前記第１溝と対応するように、両側上面に互いに離隔されて形成された複数の第２溝をさらに含むことを特徴とする請求項１１に記載の二次電池モジュール。
【請求項１４】
前記第１部分は、
前記複数の第２溝を介して、前記電極端子と溶接工程が遂行されることを特徴とする請求項１３に記載の二次電池モジュール。
【請求項１５】
前記第１部分から延長され、前記第１部分と対向するように曲折された第２部分をさらに含むことを特徴とする請求項１１に記載の二次電池モジュール。
【請求項１６】
前記第２部分は、
前記第１部分の面積と同一面積であることを特徴とする請求項１５に記載の二次電池モジュール。
【請求項１７】
前記電極組立体は、
第１電極板と、
第２電極板と、
前記第１電極板及び前記第２電極板の間に配置されたセパレータと、を含むことを特徴とする請求項１、７及び１１のうちいずれか１項に記載の二次電池モジュール。
【発明の詳細な説明】
【技術分野】
【０００１】
本発明は、複数の二次電池を含む二次電池モジュールに関する。
【背景技術】
【０００２】
二次電池（rechargeable battery）は、充電が不可能な一次電池とは異なり、充放電が可能な電池である。低容量の二次電池は、携帯電話やノート型パソコンやカムコーダのように、携帯が可能な小型電子機器に使用され、大容量電池は、ハイブリッド自動車などのモータ駆動用電源で広く使用されている。
最近になり、高エネルギー密度の非水電解液を利用した高出力二次電池が開発されており、前記高出力二次電池は、高電力を必要とする機器、例えば、電気自動車などのモータ駆動に使用されるように、複数個の二次電池を直列に連結し、大容量の二次電池として構成される。
また、１つの大容量電池モジュールは、一般的に直列に連結される複数個の二次電池からなり、該二次電池は、円筒状や角形などになる。電池モジュールの正極端子及び負極端子は、バスバーを介して、互いに電気的に連結されて電力を供給する。
【発明の概要】
【発明が解決しようとする課題】
【０００３】
本発明が解決しようとする課題は、二次電池モジュールを提供することである。
【課題を解決するための手段】
【０００４】
本発明の一側面によれば、電極組立体、前記電極組立体を収容するケース、前記電極組立体に電気的に連結され、前記ケースの外側に突出される電極端子を含む複数の二次電池；及び互いに隣接した前記二次電池の電極端子を電気的に連結するバスバー；を含み、前記バスバーは、前記電極端子と締結されるように、両側に形成された貫通ホールを含む第１部分；及び前記第１部分から延長され、前記第１部分と対向するように曲折された第２部分；を含む二次電池モジュールを提供する。
【０００５】
本発明の一特徴によれば、前記第２部分は、前記貫通ホールとオーバーラップされないように形成することもできる。
本発明の他の特徴によれば、前記第２部分は、Ｔ字形またはＨ字形でもよい。
本発明のさらに他の特徴によれば、前記第１部分及び前記第２部分の厚みは、互いに同一である。
【０００６】
本発明のさらに他の特徴によれば、前記バスバーは、前記電極端子とナットを介して締結することもできる。
本発明のさらに他の特徴によれば、前記複数の二次電池は、前記バスバーを介して直列連結または並列連結される。
【０００７】
本発明の他の側面によれば、電極組立体、前記電極組立体を収容するケース、前記電極組立体に電気的に連結され、前記ケースの外側に突出される電極端子を含む複数の二次電池；及び互いに隣接した前記二次電池の電極端子を電気的に連結するバスバー；を含み、前記バスバーは、前記電極端子と締結されるように、両側に互いに離隔されて形成された複数の溝を具備する第１部分を含む二次電池モジュールを提供する。
【０００８】
本発明の一特徴によれば、前記第１部分は、前記複数の溝を介して、前記電極端子と溶接工程が遂行することもできる。
本発明の他の特徴によれば、前記第１部分から延長され、前記第１部分と対向するように曲折された第２部分をさらに含んでもよい。
【０００９】
本発明のさらに他の特徴によれば、前記第２部分は、前記第１部分の面積と同一面積でもよい。
本発明のさらに他の側面によれば、電極組立体、前記電極組立体を収容するケース、前記電極組立体に電気的に連結され、前記ケースの外側に突出される電極端子を含む複数の二次電池；及び互いに隣接した前記二次電池の電極端子を電気的に連結するバスバー；を含み、前記バスバーは、前記電極端子を取り囲みながら締結されるように、両側下面に互いに離隔されて形成された複数の第１溝を具備する第１部分を含む二次電池モジュールを提供する。
【００１０】
本発明の一特徴によれば、前記バスバーは、前記第１部分を介して、前記電極端子と溶接工程が遂行することもできる。
本発明の他の特徴によれば、前記第１部分は、前記第１溝と対応するように、両側上面に互いに離隔されて形成された複数の第２溝をさらに含んでもよい。
本発明のさらに他の特徴によれば、前記第１部分は、前記複数の第２溝を介して、前記電極端子と溶接工程が遂行することもできる。
【００１１】
本発明のさらに他の特徴によれば、前記第１部分から延長され、前記第１部分と対向するように曲折された第２部分をさらに含んでもよい。
本発明のさらに他の特徴によれば、前記第２部分は、前記第１部分の面積と同一面積でもよい。
【００１２】
本発明のさらに他の特徴によれば、前記電極組立体は、第１電極板；第２電極板；及び前記第１電極板及び前記第２電極板の間に配置されたセパレータ；を含んでもよい。
【発明の効果】
【００１３】
本発明によれば、厚みが薄いために、低い出力でも溶接が可能であり、厚みが薄くあって、大面積を有するバスバーを含む二次電池モジュールを提供することができる。
【図面の簡単な説明】
【００１４】
【図１】本発明の一実施形態による二次電池モジュールの斜視図である。
【図２】図１のＩ−Ｉ’線に沿って切り取った二次電池の断面図である。
【図３】図１のＡ部分を拡大して示した斜視図である。
【図４】図３の分解斜視図である。
【図５】本発明の他の実施形態による二次電池モジュールを概略的に示す斜視図である。
【図６】図５のＢ部分を拡大して示す分解斜視図である。
【図７】本発明の他の実施形態による二次電池モジュールの変形例を概略的に示す斜視図である。
【図８】図７のＣ部分を拡大して示す分解斜視図である。
【図９】図９は本発明のさらに他の実施形態による二次電池モジュールを概略的に示す斜視図である。
【図１０】図９のＤ部分を拡大して示す分解斜視図である。
【図１１】図９のＩＩ−ＩＩ’線に沿って切り取った断面図である。
【図１２】本発明のさらに他の実施形態による二次電池モジュールの変形例を概略的に示す斜視図である。
【図１３】図１２のＥ部分を拡大して示す分解斜視図である。
【発明を実施するための形態】
【００１５】
本発明は、多様な変換を加えることができ、さまざまな実施形態を有することができるが、特定実施形態を図面に例示し、詳細な説明で詳細に説明する。しかし、それらは、本発明を特定の実施形態について限定するものではなく、本発明の思想及び技術範囲に含まれるあらゆる変換、均等物ないし代替物を含むものであると理解されるのである。本発明の説明にあたり、関連公知技術に係わる具体的な説明が、本発明の要旨を不明確にすると判断される場合、その詳細な説明を省略する。第１、第２のような用語は、多様な構成要素の説明に使用されるが、構成要素は、用語によって限定されるものではない。該用語は、１つの構成要素を他の構成要素から区別する目的のみに使用される。本出願で使用された用語は、ただ特定の実施形態について説明するために使用されたものであり、本発明を限定する意図ではない。単数の表現は、文脈上明白に限定的に意味しない限り、複数の表現を含む。本出願で、「含む」または「有する」というような用語は、明細書上に記載された特徴、数字、段階、動作、構成要素、部品、またはそれらを組み合わせの存在を指定するものであり、一つまたはそれ以上の他の特徴や、数字、段階、動作、構成要素、部品、またはそれらの組み合わせの存在または付加の可能性をあらかじめ排除するものではないと理解されるものである。
【００１６】
図１は、本発明の一実施形態による二次電池モジュール１０ａの斜視図であり、図２は、図１のＩ−Ｉ’線に沿って切り取った二次電池１００の断面図である。
図１を参照すれば、前記二次電池モジュール１０ａは、複数の二次電池１００、及び前記複数の二次電池１００を相互電気的に連結させるためのバスバー３００を含む。
【００１７】
図２を参照すれば、二次電池１００は、電極組立体１１０、電極端子１２０，１３０、ケース１４０及びキャップ組立体１５０を含んで形成される。
前記電極組立体１１０は、薄い板状または膜状に形成された第１電極板１１１、セパレータ１１３、第２電極板１１２の積層体を、巻き取ったり、あるいは折り畳んだりして形成する。ここで、第１電極板１１１は、負極として動作し、第２電極板１１２は、正極として動作することができる。その反対も可能であるということは言うまでもない。前述のような第１電極板１１１及び第２電極板１１２は、極性を異にして配置される。
【００１８】
前記第１電極板１１１は、銅またはニッケルのような金属ホイルから形成された第１電極集電体に、黒鉛または炭素などの第１電極活物質を塗布することによって形成され、第１電極活物質が塗布されない領域である第１電極無地部１１１Ａを含む。一方、本発明において、前記第１電極板１１１の材質を限定するものではない。前記第１電極無地部１１１Ａは、後述する第１集電板１２１と超音波溶接される。前記第１電極無地部１１１Ａは、第１電極板１１１と第１電極板１１１外部との電流フローの通路になる。
【００１９】
前記第２電極板１１２は、アルミニウムのような金属ホイルで形成された第２電極集電体に、遷移金属酸化物などの第２電極活物質を塗布することによって形成され、第２活物質が塗布されない領域である第２電極無地部１１２Ａを含む。一方、本発明において、前記第２電極板１１２の材質を限定するものではない。前記第２電極無地部１１２Ａは、後述する第２集電板１３１と超音波溶接される。前記第２電極無地部１１２Ａは、第２電極板１１２と第２電極板１１２外部との電流フローの通路になる。
【００２０】
前記セパレータ１１３は、第１電極板１１１と第２電極板１１２との間に位置する。前記セパレータ１１３は、ショートを防止し、リチウムイオンの移動を可能にする。前記セパレータ１１３は、ポリエチレンや、ポリエチレンとポリプロピレンとの複合フィルムから形成されもする。一方、本発明において、前記セパレータ１１３の材質を限定するものではない。
【００２１】
かような電極組立体１１０は、実質的に電解液と共にケース１４０に収納される。前記電解液は、炭酸エチレン（ＥＣ）、炭酸プロピレン（ＰＣ）、炭酸ジエチル（ＤＥＣ）、エチルメチルカーボネート（ＥＭＣ）、ジメチルカーボネート（ＤＭＣ）のような有機溶媒に、ＬＩＰＦ６、ＬＩＢＦ４のようなリチウム塩を溶解させたものである。また、前記電解液は、液体、固体またはゲル状でもある。
【００２２】
前述のような電極組立体１１０の両側端部には、第１電極無地部１１１Ａ及び第２電極無地部１１２Ａのそれぞれに電気的に連結される第１電極端子１２０及び第２電極端子１３０が結合される。
【００２３】
前記第１電極端子１２０は、主に、金属またはその等価物で形成され、第１電極無地部１１１Ａと電気的に連結される。前記第１電極端子１２０は、第１集電板１２１、第１集電端子１２２及び第１端子プレート１２３を含む。
【００２４】
前記第１集電板１２１は、電極組立体１１０が形成された第１電極無地部１１１Ａと接触する。実質的には、前記第１集電板１２１は、前記第１電極無地部１１１Ａに溶接される。前記第１集電板１２１は、ほぼ「┐」形状に形成され、上部には、端子ホールが形成される。前記端子ホールには、第１集電端子１２２が嵌合される。かような第１集電板１２１は、例えば、銅または銅合金から製造される。しかし、かような材質にのみ第１集電板１２１を限定するものではない。
【００２５】
また、前記第１集電板１２１は、第１電極無地部１１１Ａの長さと対応するように形成される。
前記第１集電端子１２２は、後述されるキャッププレート１５１を貫通し、上部に一定長さ突出して延長され、また前記キャッププレート１５１の下部で、前記第１集電板１２１と電気的に連結される。前記第１集電端子１２２は、キャッププレート１５１の上部に一定長さ突出して延長されると共に、キャッププレート１５１の下部には、第１集電端子１２２が前記キャッププレート１５１から抜けないように、側部側に延長されたフランジ１２５が形成されている。
【００２６】
前記第１集電端子１２２において、フランジ１２５下部に形成された領域は、前記第１集電板１２１の端子ホールに嵌めこまれて溶接される。また、前記第１集電端子１２２において、前記フランジ１２５の上部に形成された領域は、第１端子プレート１２３に固定される。また、前記第１集電端子１２２は、キャッププレート１５１と電気的に絶縁される。かような第１集電端子１２２は、例えば、銅、銅合金及びその等価物のうちから選択されたいずれか一つから製造される。しかし、かような材質のみに前記第１集電端子１２２が限定されるものではない。
【００２７】
前記第１端子プレート１２３は、中央に、第１集電端子１２２が貫通結合されるように、ほぼ垂直方向に貫通ホール１２３ｈが形成された構造でもある。一方、前記第１端子プレート１２３は、ステンレススチール、銅、銅合金、アルミニウム、アルミニウム合金及びその等価物のうちから選択されたいずれか一つで形成されるが、それらにその材質が限定されるものではない。併せて、前記第１端子プレート１２３と前記キャッププレート１５１は、互いに絶縁されるように、上部絶縁体１２４が含まれた構造でもある。
【００２８】
前記第２電極端子１３０も、主に、金属またはその等価物で形成され、第２電極無地部１１２Ａと電気的に連結される。前記第２電極端子１３０は、第２集電板１３１、第２集電端子１３２、第２端子プレート１３３を含む。ここで、前記第２電極端子１３０の形態は、前記第１電極端子１２０の形態と同一である。従って、その形態の説明は省略する。ただし、前記第２集電板１３１及び第２集電端子１３２は、主に、アルミニウム、アルミニウム合金及びその等価物のうちから選択されたいずれか一つでもあるが、かような材料でもって本発明を限定するものではない。また、前記第２端子プレート１３３は、主に、ステンレススチール、アルミニウム、アルミニウム合金、銅、銅合金及びその等価物のうちから選択されたいずれか一つでも、ここで、その材質を限定するものではない。
【００２９】
前記第２集電板１３１は、第２電極無地部１１２Ａの長さと対応するように形成される。
また、前記第２端子プレート１３３は、前記キャッププレート１５１と電気的に連結され、従って、以下で説明するケース１４０及びキャッププレート１５１は、前記第２電極端子１３０と同じ極性（例えば、正極）を有することができる。
【００３０】
前記ケース１４０は、アルミニウム、アルミニウム合金またはニッケルがメッキされたスチールのような導電性金属から形成され、電極組立体１１０、第１電極端子１２０及び第２電極端子１３０が挿入載置される開口部が形成されたほぼ六面体状によってなる。前記二次電池１００は、ケース１４０の開口部にキャップ組立体１５０が結合されて密封されて形成される。一方、ケース１４０の内面は、絶縁処理され、電極組立体１１０、第１電極端子１２０、第２電極端子１３０及びキャップ組立体１５０と絶縁される。
【００３１】
前記ケース１４０は、電極組立体１１０の形状に対応するように形成される。前記ケース１４０の両側には、電極組立体１１０の第１電極無地部１１１Ａ、及び第２電極無地部１１２Ａに対応する形状を有することができる。すなわち、前記ケース１４０は、第１電極無地部１１１Ａに対応する第１側面１４１Ａを含む。また、前記ケース１４０は、第２電極無地部１１２Ａに対応する第２側面１４１Ｂを含む。
【００３２】
前記キャップ組立体１５０は、キャッププレート１５１、電解液注入口１５２、密封栓１５３及び安全ベント１５４を含む。
また、前記キャッププレート１５１は、ケース１４０を密封する。前記キャッププレート１５１は、プレート一部分に、第１集電板１２１と連結される第１電極端子１２０が挿入されるようにホールが形成される。また、前記キャッププレート１５１には、第２集電板１３１と連結される第２電極端子１３０が挿入されるホールが形成される。前記電極端子１２０，１３０は、それぞれキャッププレート１５１を絶縁させるガスケットが形成される。また、前記電極端子１２０，１３０は、それぞれに形成されたネジ山に沿って締結され、キャッププレート１５１に固定させるナット１６０（図１）を含んでもよい。また、キャップ組立体１５０は、キャッププレート１５１に形成される電解液注入口１５２を介して、電解液を注入した後、電解液注入口１５２を密封する密封栓１５３が形成される。また、前記キャッププレート１５１は、薄く形成され、設定された圧力によって破損されてガスを放出させる安全ベント１５４を含んでもよい。
【００３３】
前記キャッププレート１５１は、下部に絶縁部材１５５が形成される。前記絶縁部材１５５は、キャッププレート１５１と、それぞれの電極端子１２０，１３０との相互間不要な電気的ショートの発生を防止する。すなわち、前記絶縁部材１５５は、第１集電板１２１及び第１集電端子１２２と、キャッププレート１５１とのショートを防止する。また、前記絶縁部材１５５は、第１集電板１３１及び第２集電端子１３２と、キャッププレート１５１とのショートを防止する。一例として、前記絶縁部材は、ポリフェニレンスルフィド（ＰＰＳ）でもあるが、かような材質によって本発明を限定するものではない。
【００３４】
再び、図１を参照すれば、前記複数の二次電池１００は、複数のバスバー３００を介して相互電気的に連結される。
前記バスバー３００は、第１電極端子１２０及び第２電極端子１３０にそれぞれ締結され、互いに隣接した二次電池１００を直列連結または並列連結させる構造を設ける。
【００３５】
二次電池モジュール１０ａは、電流許容値の高いバスバーが要求され、そのためには、バスバーの厚みを厚くする方法を考慮することができる。しかし、バスバーの厚みが厚くなる場合、同時に第１集電端子１２２及び第２集電端子１３２の高さも高くなることが要求され、二次電池モジュール１０ａを設計するのに制約が伴う。
【００３６】
しかし、本発明の実施形態によれば、バスバー３００は、厚みを厚くさせず、第１電極端子１２０及び第２電極端子１３０と締結される第１部分３００−１、及び前記第１部分３００−１から延長され、前記第１部分３００−１と互いに対向するように形成される第２部分３００−２を具備することによって、バスバー３００の電流許容値を高めることがある。
【００３７】
図３は、図１のＡ部分を拡大して示した斜視図であり、図４は、図３の分解斜視図である。
図３及び図４を参照すれば、バスバー３００は、両側に貫通ホール３００ｈが形成された第１部分３００−１、及び前記第１部分３００−１から延長され、前記第１部分３００−１と互いに対向するように曲折された第２部分３００−２を含んでもよい。前記第１部分３００−１、及び前記第２部分３００−２の厚みは、互いに同一である。しかし、本発明の技術的思想は、それに限定されるものではない。
前記第１部分３００−１の複数の貫通ホール３００ｈに、二次電池１００に具備された第１電極端子１２０及び第２電極端子１３０が結合される。前記第１部分３００−１から曲折された第２部分３００−２は、前記第１部分３００−１とほぼ１８０°の角度をなして曲折され、前記曲折された部分は、曲面状でもある。しかし、本発明の技術的思想は、それに限定されるものではない。
【００３８】
前記第２部分３００−２は、前記第１部分３００−１の複数の貫通ホール３００ｈと互いにオーバーラップされないように形成される。また、前記第２部分３００−２が、図面では、Ｔ字形をなすように図示されているが、本発明の技術的思想は、それに限定されるものではなく、多様な形状を有することができるということは言うまでもない。
【００３９】
前記バスバー３００の第１部分３００−１を貫通した第１集電端子１２２及び第２集電端子１３２には、ナット１６０が結合され、前記バスバー３００と、前記第１電極端子１２０及び第２電極端子１３０とを互いに締結することができる。
【００４０】
そのように、本発明の技術的思想によれば、前記バスバー３００は、第１部分３００−１から延長されて形成された第２部分３００−２を具備することにより、前記バスバー３００の厚みを厚くさせず、前記バスバー３００の面積を拡大させる。それにより、前記バスバー３００を容易に前記第１電極端子１２０及び第２電極端子１３０に結合させ、前記バスバー３００に要求される最大許容電流値を充足させることが可能である。
【００４１】
図５は、本発明の他の実施形態による二次電池モジュール１０ｂを概略的に示す斜視図であり、図６は、図５のＢ部分を拡大して示す分解斜視図である。図５及び図６において、図１の二次電池モジュール１０ａと同一構成要素には、同一の参照符号を使用し、それに係わる重複説明は省略する。
【００４２】
図５及び図６を共に参照すれば、第１集電端子１２２ａ及び第２集電端子１３２ａは、図１の第１集電端子１２２及び第２集電端子１３２とは異なり、第１端子プレート１２３及び第２端子プレート１３３の上部をそれぞれ覆うように形成される。
【００４３】
互いに隣接して配置される複数の二次電池１００を電気的に連結させるバスバー３１０は、両側に互いに離隔されて形成された複数の溝３１０ｇを含む。前記バスバー３１０は、レーザ溶接を利用して、前記第１集電端子１２２ａ及び第２集電端子１３２ａと結合される。
【００４４】
高い電流許容値が要求されるバスバーの場合、厚みを厚くする必要があり、その場合、バスバーを、前記第１集電端子１２２ａ及び第２集電端子１３２ａと結合させる溶接工程を遂行するためには、高出力のレーザ設備が要求される。
【００４５】
しかし、本発明の技術的思想によるバスバー３１０によれば、高電流許容値は満足させながら、前記第１集電端子１２２ａ及び第２集電端子１３２ａと溶接工程が遂行される領域に、複数の溝３１０ｇを形成することにより、低い出力のレーザを利用して、前記バスバー３１０を、前記第１集電端子１２２ａ及び第２集電端子１３２ａに結合させることができる。すなわち、溶接工程が遂行される領域に、複数の溝３１０ｇを形成することにより、前記第１集電端子１２２ａ及び第２集電端子１３２ａと接触する部分のバスバー３１０の厚みを薄くすることができる、低い出力のレーザを利用しても、前記バスバー３１０と、前記第１集電端子１２２ａ及び第２集電端子１３２ａとの間に、十分な接合強度を得ることがある。
【００４６】
また、図面では、バスバー３１０の一側に、それぞれ２個の溝３１０ｇが形成されるように図示されているが、本発明の技術的思想は、それに限定されるものではない。
図７は、本発明の他の実施形態による二次電池モジュール１０ｂの変形例１０ｃを概略的に示す斜視図であり、図８は、図７のＣ部分を拡大して示す分解斜視図である。図７及び図８において、図５の二次電池モジュール１０ｂと同一構成要素には、同一の参照符号を使用し、それに係わる重複説明は省略する。
【００４７】
図７及び図８を共に参照すれば、バスバー３１０’は、図５とは異なり、複数の溝３１０’ｇが形成された第１部分３１０’−１、及び前記第１部分３１０’−１と対向するように曲折された第２部分３１０’−２を含んでもよい。
【００４８】
前記バスバー３１０’は、前記第１集電端子１２２ａ及び第２集電端子１３２ａに付着された後、前記第２部分３１０’−２が曲折されることにより、前記第２部分３１０’−２が前記第１部分３１０’−１と対向するように配置される。前記第２部分３１０’−２と、前記第１部分３１０’−１は、互いに同一の面積でもある。しかし、本発明の技術的思想は、それに限定されるものではない。
【００４９】
本発明の技術的思想による二次電池モジュール１０ｃによれば、第１部分３１０’−１から延長されて形成された第２部分３１０’−２を含むことにより、前記バスバー３１０’の厚みを厚くさせずに、前記バスバー３１０’に要求される許用電流を満足させることがある。
【００５０】
図９は、本発明のさらに他の実施形態による二次電池モジュール１０ｄを概略的に示す斜視図であり、図１０は、図９のＤ部分を拡大して示す分解斜視図であり、図１１は、図９のＩＩ−ＩＩ’線に沿って切り取った断面図である。図９及び図１０において、図５の二次電池モジュール１０ｂと同一構成要素には同一の参照符号を使用し、それに係わる重複説明は省略する。
【００５１】
図９ないし図１１を共に参照すれば、バスバー３２０は、両側下面の第１集電端子１２２ａ及び第２集電端子１３２ａを覆うように形成された第１溝３２０ｇを含んでもよい。
前記バスバー３２０は、前記第１集電端子１２２ａ、及び前記第２集電端子１３２ａの上面及び側面を覆う複数の第１溝３２０ｇを含むことにより、選択的にバスバー３２０の厚みを領域によって異ならせることができる。前記バスバー３２０において、前記第１集電端子１２２ａ及び第２集電端子１３２ａと溶接が行われる領域の厚みが薄くなるように、前記第１溝３２０ｇを形成するので、低出力のレーザ設備を利用しても、前記バスバー３２０と、前記第１集電端子１２２ａ及び第２集電端子１３２ａとを互いに締結することができる。
【００５２】
また、前記バスバー３２０は、両側下面だけではなく、両側上面にも、前記複数の第１溝３２０ｇに対応する第２溝３２２ｇをさらに含んでもよい。前記バスバー３２０は、選択的に、第１集電端子１２２ａ及び第２集電端子１３２ａと溶接が行われる部分の厚みを最小化し、低出力レーザを利用しても、前記バスバー３２０、及び前記第１集電端子１２２ａ及び第２集電端子１３２ａを強力に締結することができる。
【００５３】
図１２は、本発明のさらに他の実施形態による二次電池モジュール１０ｄの変形例１０ｅを概略的に示す斜視図であり、図１３は、図１２のＥ部分を拡大して示す分解斜視図である。図１２及び図１３において、図９の二次電池モジュール１０ｄと同一構成要素には同一の参照符号を使用し、それに係わる重複説明は省略する。
【００５４】
図１２及び図１３を共に参照すれば、バスバー３２０’は、図１０とは異なり、上面及び下面の両側に、それぞれ複数の第１溝３２０’ｇ及び第２溝３２２’ｇが形成された第１部分３２０’−１、及び前記第１部分３２０’−１と対向するように曲折された第２部分３２０’−２を含んでもよい。
【００５５】
前記バスバー３２０’は、前記第１集電端子１２２ａ及び第２集電端子１３２ａに付着された後、前記第２部分３２０’−２が曲折されることにより、前記第２部分３２０’−２が前記第１部分３２０’−１と対向するように配置される。
【００５６】
本発明の技術的思想による二次電池モジュール１０ｅによれば、前記第１部分３２０’−１から延長されて形成された第２部分３２０’−２を含むことにより、前記バスバー３２０’の厚みを薄くしながらも、前記バスバー３２０’に要求される許用電流を満足させうる。
【００５７】
以上、本発明の望ましい実施形態について、図示して説明したが、本発明は、前述の特定の実施形態に限定されるものではなく、特許請求の範囲で請求する本発明の要旨を外れることなくして、当該発明が属する技術分野で当業者によって、多様な変形実施が可能であるということは言うまでもなく、かような変形実施は、本発明の技術的思想や展望から個別的に理解されることがあってはならないのである。
【産業上の利用可能性】
【００５８】
本発明の二次電池モジュールは、例えば、電源関連の技術分野に効果的に適用可能である。
【符号の説明】
【００５９】
１０ａ，１０ｂ，１０ｃ，１０ｄ，１０ｅ    二次電池モジュール
１００    二次電池
１１０    電極組立体
１１１    第１電極板
１１１Ａ    第１電極無地部
１１２    電極板
１１２Ａ    第２電極無地部
１１３    セパレータ
１２０    第１電極端子
１２１    集電板
１２２，１２２ａ    第１集電端子
１２３    第１端子プレート
１２３ｈ，３００ｈ    貫通ホール
１２４    上部絶縁体
１２５    フランジ
１３０    第２電極端子
１３１    第２集電板
１３２，１３２ａ    第２集電端子
１３３    第２端子プレート
１４０    ケース
１４１Ａ    第１側面
１４１Ｂ    第２側面
１５０    キャップ組立体
１５１    キャッププレート
１５２    電解液注入口
１５３    密封栓
１５４    安全ベント
１５５    絶縁部材
１６０    ナット
３００，３１０，３１０’，３２０，３２０’，３３０    バスバー
３００−１，３１０’−１，３２０’−１    第１部分
３００−２，３１０’−２，３２０’−２    第２部分
３１０ｇ、３１０’ｇ    溝
３２０ｇ，３２０’ｇ    第１溝
３２２ｇ，３２２’ｇ    第２溝
【図１】
2015056403.tif 000003
【図２】
2015056403.tif 000004
【図３】
2015056403.tif 000005
【図４】
2015056403.tif 000006
【図５】
2015056403.tif 000007
【図６】
2015056403.tif 000008
【図７】
2015056403.tif 000009
【図８】
2015056403.tif 000010
【図９】
2015056403.tif 000011
【図１０】
2015056403.tif 000012
【図１１】
2015056403.tif 000013
【図１２】
2015056403.tif 000014
【図１３】
2015056403.tif 000015